(57)【要約】【課題】複数の信号線を介して映像信号に基づく画像を表示装置に表示させる際の表示態様の設定をしやすくする。【解決手段】表示装置は、画像を表示する表示部１０と、表示部１０が表示する画像を含む映像信号を入力するための複数の入力端子１１と、複数の入力端子に映像信号を出力する信号源が接続されているか否かを検出する検出部１２と、信号源が接続されていることを検出部１２が検出した接続中端子の数に基づいて、表示部１０に投影表示する画像の態様を選択するための選択画面を作成するＯＳＤ部１６２と、選択画面を表示部１０に表示させる表示制御部１６３と、を有する。【選択図】図２
2019020613.tif 000002
【特許請求の範囲】
【請求項１】
画像を表示する表示手段と、
前記表示手段が表示する画像を含む映像信号を入力するための複数の入力端子と、
前記複数の入力端子のそれぞれに前記映像信号を出力する信号源が接続されているか否かを検出する検出手段と、
前記信号源が接続されていることを前記検出手段が検出した接続中端子の数に基づいて、前記表示手段に表示する画像の態様を選択するための選択画面を作成する画面作成手段と、
前記選択画面を前記表示手段に表示させる制御手段と、
を有することを特徴とする表示装置。
【請求項２】
前記画面作成手段は、前記接続中端子の数以下の前記映像信号を組み合わせて前記表示手段に表示される画像の態様を示す前記選択画面を作成することを特徴とする、
請求項１に記載の表示装置。
【請求項３】
前記検出手段は、前記複数の入力端子のそれぞれに入力される前記複数の映像信号の解像度を検出し、
前記画面作成手段は、複数の前記接続中端子に入力されている複数の前記映像信号の解像度が一致している場合に、前記接続中端子の数に対応する前記選択画面を作成し、複数の前記接続中端子に入力されている複数の前記映像信号の解像度が一致していない場合に、前記接続中端子の数よりも少ない数に対応する前記選択画面を作成することを特徴とする、
請求項２に記載の表示装置。
【請求項４】
前記検出手段は、前記複数の入力端子のそれぞれに入力される前記複数の映像信号の周波数を検出し、
前記画面作成手段は、複数の前記接続中端子に入力されている複数の前記映像信号の周波数が一致している場合に、前記接続中端子の数に対応する前記選択画面を作成し、複数の前記接続中端子に入力されている複数の前記映像信号の周波数が一致していない場合に、前記接続中端子の数よりも少ない数に対応する前記選択画面を作成することを特徴とする、
請求項２又は３に記載の表示装置。
【請求項５】
前記画面作成手段は、前記複数の入力端子の複数の種別のうち、前記接続中端子の種別を示し、前記接続中端子以外の種別を示さない前記選択画面を作成することを特徴とする、
請求項１から４のいずれか一項に記載の表示装置。
【請求項６】
前記画面作成手段は、前記接続中端子の数が２以上であることを条件として、複数の前記接続中端子に入力された複数の前記映像信号に基づく複数の画像を配置した画像の態様を選択するための前記選択画面を作成することを特徴とする、
請求項１から５のいずれか一項に記載の表示装置。
【請求項７】
前記検出手段は、前記複数の入力端子のそれぞれに前記映像信号が入力されているか否かを検出する信号検出部を有することを特徴とする、
請求項１から６のいずれか一項に記載の表示装置。
【請求項８】
前記検出手段は、前記複数の入力端子のそれぞれに前記信号源と接続されたケーブルが接続されているか否かを検出するケーブル検出部を有することを特徴とする、
請求項１から６のいずれか一項に記載の表示装置。
【請求項９】
前記検出手段は、前記複数の入力端子のそれぞれに制御信号が入力されているか否かを検出する信号検出部を有することを特徴とする、
請求項１から８のいずれか一項に記載の表示装置。
【請求項１０】
画像を表示する表示手段が表示する画像を含む映像信号を入力するための複数の入力端子と、
前記複数の入力端子に前記映像信号を出力する信号源が接続されているか否かを検出する検出手段と、
前記信号源が接続されていることを前記検出手段が検出した接続中端子の数に基づいて、前記表示手段に表示する画像の態様を選択するための選択画面を作成する画面作成手段と、
前記選択画面を前記表示手段に表示させる制御手段と、
を有することを特徴とする表示制御装置。
【請求項１１】
コンピュータに、
画像を表示する表示手段が表示する画像を含む映像信号を入力するための複数の入力端子に前記映像信号を出力する信号源が接続されているか否かを検出するステップと、
前記信号源が接続されていることが検出された接続中端子の数に基づいて、前記表示手段に投影する画像の態様を選択するための選択画面を作成するステップと、
前記選択画面を前記表示手段に表示させるステップと、
を有することを特徴とする表示方法。
【発明の詳細な説明】
【技術分野】
【０００１】
本発明は、複数の映像信号を接続できる表示装置、表示制御装置、及び表示方法に関する。
【背景技術】
【０００２】
複数の映像信号を組み合わせて、一つの表示画面を表示する表示装置が知られている。特許文献１には、多画面表示機能により表示される全ての画面について、表示する画像を個々に選択する作業を行えるようにする技術が開示されている。
【先行技術文献】
【特許文献】
【０００３】
【特許文献１】特開２０１２−８３４８４号公報
【発明の概要】
【発明が解決しようとする課題】
【０００４】
表示装置の高解像度化が進んだことにより、単一の信号線を用いて映像信号を入力することが難しくなってきている。高解像度の表示装置に映像信号を入力する方法として、一つの映像コンテンツを複数の信号線に分割して入力する方法がある。このように、一つの映像信号を複数の信号線に分割して入力することができる表示装置においては、複数の信号線から入力される映像信号が、単一の映像コンテンツを分割したものなのか、複数の信号線から入力される映像信号それぞれが単一の映像コンテンツなのかを判別して、適切な設定を行うことが煩雑となっていた。
【０００５】
そこで、本発明はこれらの点に鑑みてなされたものであり、複数の信号線を介して映像信号に基づく画像を表示装置に表示させる際の表示態様の設定をしやすくすることを目的とする。
【課題を解決するための手段】
【０００６】
本発明の第１の態様の表示装置は、画像を表示する表示手段と、前記表示手段が表示する画像を含む映像信号を入力するための複数の入力端子と、前記複数の入力端子に前記映像信号を出力する信号源が接続されているか否かを検出する検出手段と、前記信号源が接続されていることを前記検出手段が検出した接続中端子の数に基づいて、前記表示手段に表示する画像の態様を選択するための選択画面を作成する画面作成手段と、前記選択画面を前記表示手段に表示させる制御手段と、を有する。
【０００７】
本発明の第２の態様の表示制御装置は、画像を表示する表示手段が表示する画像を含む映像信号を入力するための複数の入力端子と、前記複数の入力端子に前記映像信号を出力する信号源が接続されているか否かを検出する検出手段と、前記信号源が接続されていることを前記検出手段が検出した接続中端子の数に基づいて、前記表示手段に表示する画像の態様を選択するための選択画面を作成する画面作成手段と、前記選択画面を前記表示手段に表示させる制御手段と、を有する。
【０００８】
本発明の第３の態様の表示方法は、コンピュータに、画像を表示する表示手段が表示する画像を含む映像信号を入力するための複数の入力端子に前記映像信号を出力する信号源が接続されているか否かを検出するステップと、前記信号源が接続されていることが検出された接続中端子の数に基づいて、前記表示手段に投影する画像の態様を選択するための選択画面を作成するステップと、前記選択画面を前記表示手段に表示させるステップと、を有する。
【発明の効果】
【０００９】
本発明によれば、複数の信号線を介して映像信号に基づく画像を表示装置に表示させる際の表示態様の設定をしやすくすることができるという効果を奏する。
【図面の簡単な説明】
【００１０】
【図１】映像表示システムの概要を説明するための図である。
【図２】表示装置の構成を示す図である。
【図３】表示装置を操作するためのリモコンを模式的に示す図である。
【図４】表示画面の構成を模式的に示す図である。
【図５】選択画面を模式的に示す図である。
【図６】接続中端子の数に基づいて表示する画像の態様を選択するための選択画面を表示する処理のフローチャートである。
【図７】映像信号の特性に基づいて選択画面を作成する処理のフローチャートである。
【発明を実施するための形態】
【００１１】
［映像表示システムＳの概要］
図１は、映像表示システムＳの概要を説明するための図である。映像表示システムＳは、映像を表示するための表示装置１と、映像信号を出力する信号源としてコンピュータ２とを備える。表示装置１は、例えば反射型液晶デバイスを使用した液晶プロジェクタであるが、これに限らず他の表示装置であってもよい。他の表示装置は、例えば液晶ディスプレイである。表示装置１は、映像信号の入力を受ける複数の入力端子を有している。表示装置１は、複数の入力端子から入力された複数の映像信号のそれぞれを単独で表示したり、複数の映像信号の一部又は全部を組み合わせて表示したりすることができる。
【００１２】
コンピュータ２は、例えばデスクトップＰＣである。コンピュータ２は、１つの映像コンテンツを複数の信号線に分割して出力することができる。コンピュータ２は、１つの映像コンテンツを４つの信号線を介して表示装置１に出力する。なお、本実施形態において、コンピュータ２は、１つの映像コンテンツを４つの信号線に分割して出力する場合を例示するが、これに限らず１つの映像コンテンツを２つ以上の信号線に分割する場合に本発明を適用できる。
【００１３】
表示装置１は、コンピュータ２から出力された複数の映像信号を受信すると、接続されている接続中端子の数に基づいて、表示する画像の態様を選択するための選択画面を表示する。ユーザは、選択画面に表示された選択肢を選択することにより、複数の映像信号に含まれる映像コンテンツの表示態様を選択することができる。
【００１４】
［表示装置１の構成］
図２は、表示装置１の構成を示す図である。表示装置１は、表示部１０と、複数の入力端子１１（１１ａ〜１１ｄ）と、複数の検出部１２（１２ａ〜１２ｄ）と、セレクター１３と、操作部１４と、記憶部１５と、制御部１６とを有する。なお、図２において、白抜きの矢印は映像信号の流れを示し、黒矢印は制御信号の流れを示す。
【００１５】
表示部１０は、画像をスクリーンなどの投影面に投影することにより画像を表示する表示手段である。表示部１０は、例えば液晶パネル、光源、投影光学系を備える。
【００１６】
入力端子１１は、表示装置１が表示する画像を含む映像信号を入力するための複数の入力端子である。入力端子１１に入力される規格は、例えば、ＤＶＩ（Digital Visual Interface）、ＨＤＭＩ（High−Definition Multimedia Interface）（登録商標）、ＤＰ（DisplayPort）、ＡｎａｌｏｇＲＧＢ、ＵＳＢ（Universal Serial Bus）であるが、これに限らない。なお、入力端子１１は、ＬＡＮ（Local Area Network）端子を含んでもよく、ＬＡＮ回線を用いて複数の信号源から映像信号の入力を受けてもよい。
【００１７】
本実施形態においては、入力端子１１は、入力端子１１ａ〜１１ｄの４つの端子を備えるが、入力端子１１の数は２以上であればよい。入力端子１１は、全て同じ規格であってもよいし、それぞれ異なる規格であってもよい。本実施形態においては、入力端子１１ａ及び１１ｂがＨＤＭＩ端子、入力端子１１ｃ及び１１ｄがＤＶＩ端子であるものとする。なお、表示装置１は、入力端子１１に入力されたそれぞれの映像方式に応じたデコーダーを備えていてもよい。
【００１８】
検出部１２は、複数の入力端子に映像信号を出力する信号源が接続されているか否かを検出する。例えば、検出部１２は、入力端子に入力された映像信号を検出することで、信号源が接続されているか否かを検出する。具体的には、検出部１２は、複数の入力端子それぞれに映像信号が入力されているか否かを検出する信号検出部を有する。信号検出部は、例えば信号線上の電気的な挙動を監視する。具体的には、信号検出部は、映像内容によらず継続的に発生する信号を監視する。信号検出部は、例えば、映像のデータによらず継続的に検知可能なフレームタイミングをあらわすＶＳ（Vertical Sync）信号を監視することにより映像信号が入力されているか否かを検出する。
【００１９】
また、検出部１２は、入力端子に入力された制御信号を検出することで、信号源が接続されているか否かを検出してもよい。具体的には、検出部１２は、複数の入力端子それぞれにＤＤＣ／ＣＩ（Display Data Channel Command Interface）信号が入力されているか否かを検出する信号検出部を有する。このようにすることで、検出部１２は映像データの変化の影響を受けずに映像信号を検出することができる。
【００２０】
検出部１２は、映像信号の特性を検出してもよい。例えば、検出部１２は、複数の入力端子それぞれに入力される映像信号の解像度を検出する。また、検出部１２は、複数の入力端子それぞれに入力される映像信号のフレームレート周波数、又はドットクロック周波数を検出してもよい。
【００２１】
また、検出部１２は、入力端子に接続されたケーブルを検出することで、信号源が接続されているか否かを検出してもよい。具体的には、検出部１２は、複数の入力端子のそれぞれに信号源と接続されたケーブルが接続されているか否かを検出するケーブル検出部を有する。より具体的には、複数の検出部１２のそれぞれは、対応する入力端子に信号源と接続されたケーブルが接続されているか否かを検出するケーブル検出部を有する。検出部１２は、信号源が接続されていることを入力制御部１６０に通知する。なお、検出部１２は、信号源が接続されていないことを入力制御部１６０に通知してもよい。
【００２２】
セレクター１３は、複数の映像信号から１つ以上の映像信号を選択する。具体的には、セレクター１３は、入力制御部１６０の指示に基づいて、複数の検出部１２から受信した複数の映像信号から１以上の映像信号を選択する。セレクター１３は、選択した１以上の映像信号を画像処理部１６１に送信する。
【００２３】
操作部１４は、ユーザから操作を受け付ける。操作部１４は、例えば、スイッチ、ダイヤル、タッチパネル、又はリモコンからの信号を受信する信号受信部を含む。操作部１４は、具体的には、電源ボタン、メニューボタン、入力切り替えボタン、又はメニュー操作のためのボタン群（上下左右、及びＯＫボタン）を備える。また、表示装置１を操作するためのリモコンは、操作部１４と同様の機能を備える。図３は、表示装置１を操作するためのリモコン３を模式的に示す図である。リモコン３は、電源ボタン３１と、上下左右キー３２ａ〜３２ｄと、ＯＫボタン３３と、メニューボタン３４と、インプットボタン３５とを備える。なお、リモコン３は、他のボタンを備えていてもよい。
【００２４】
記憶部１５は、ＲＯＭ（Read Only Memory）、及びＲＡＭ（Random Access Memory）などの記憶媒体を含む。記憶部１５は、制御部１６が実行するプログラムを記憶する。制御部１６は、例えば、記憶部１５に記憶されたプログラムを実行することにより、入力制御部１６０、画像処理部１６１、ＯＳＤ（On Screen Display）部１６２、及び表示制御部１６３として機能するＣＰＵ（Central Processing Unit）である。また、制御部１６は、外部装置との通信を制御する。制御部１６は、その他必要に応じて表示装置１を制御する。
【００２５】
入力制御部１６０は、セレクター１３と、画像処理部１６１と、ＯＳＤ部１６２と、表示制御部１６３とを制御する。入力制御部１６０は、ユーザが操作部１４に入力した指示に応じて１以上の映像信号を選択させる指示をセレクター１３に通知する。また、入力制御部１６０は、複数の検出部１２が検出した接続中端子の数を画像処理部１６１及びＯＳＤ部１６２に通知する。また、入力制御部１６０は、ユーザが操作部１４に入力した指示に応じた画像を表示部１０に表示させる指示を表示制御部１６３に通知する。
【００２６】
画像処理部１６１は、表示装置１に入力された映像信号に対して画像処理を行う。画像処理部１６１が行う画像処理は、例えば、解像度変換、色調整、輪郭調整、フレームレート変換、アスペクト変換、又はＩｎｔｅｒｌａｃｅ／Ｐｒｏｇｒｅｓｓｉｖｅ変換である。また、画像処理部１６１は、複数の映像信号から１つの表示画面を作成することができる。
【００２７】
［表示画面の例］
図４は、表示画面の構成を模式的に示す図である。図４（ａ）は、映像表示システムＳにおいて、１つの信号線により１つの映像コンテンツを表示する場合の構成例を示す図である。このように、映像表示システムＳは、使用する映像フォーマットが信号線の送信能力内の映像フォーマットであれば、複数の信号線を使用することなく映像４１を表示することができる。
【００２８】
図４（ｂ）は、表示装置１が２つの信号線により１つの映像コンテンツを受信した場合の構成例を示す図である。映像表示システムＳにおいて、２つの信号線を用いて１つの映像コンテンツを表示することにより、信号線の送信能力の２倍までの映像フォーマットを使用することができる。図４（ｂ）においては、映像表示システムＳは、コンピュータ２において、１つの映像コンテンツを左映像４２ａと、右映像４２ｂとに分割し、それぞれ異なる信号線を経由して表示装置１に送信する。画像処理部１６１は、左映像４２ａと、右映像４２ｂとを結合することにより、１つの映像４２を作成する。
【００２９】
図４（ｃ）は、表示装置１が４つの信号線により１つの映像コンテンツを受信した場合の構成例を示す図である。映像表示システムＳにおいて、４つの信号線を用いて１つの映像コンテンツを表示することにより、信号線の送信能力の４倍までの映像フォーマットを使用することができる。図４（ｃ）においては、映像表示システムＳは、コンピュータ２において、１つの映像コンテンツを縦２×横２に分割、すなわち左上映像４３ａと、右上映像４３ｂと、左下映像４３ｃと、右下映像４３ｄとに分割し、それぞれ異なる信号線を経由して表示装置１に送信する。画像処理部１６１は、左上映像４３ａと、右上映像４３ｂと、左下映像４３ｃと、右下映像４３ｄとを結合することにより、１つの映像４３を作成する。
【００３０】
図４（ｄ）は、表示装置１が４つの信号線により１つの映像コンテンツを受信した場合の、図４（ｃ）と異なる構成例を示す図である。図４（ｄ）においては、映像表示システムＳは、コンピュータ２において、１つの映像コンテンツを縦１×横４に分割し、それぞれ異なる信号線を経由して表示装置１に送信する。画像処理部１６１は、映像４４ａと、映像４４ｂと、映像４４ｃと、映像４４ｄとを結合することにより、１つの映像４４を作成する。
【００３１】
［選択画面の例］
ＯＳＤ部１６２は、表示部１０に表示する画像の態様を選択するための選択画面を作成する。図５は、選択画面を模式的に示す図である。図５（ａ）は、従来のＯＳＤ部１６２が作成する選択画面である。しかしながら、図５（ａ）で示すような従来の選択画面は煩雑でわかりにくい。従来の選択画面においては、接続中端子だけでなく、接続されていない端子も選択肢として表示していたため、ユーザを混乱させてしまう場合があった。そこで、本実施形態に係るＯＳＤ部１６２は、信号源が接続されていることを検出部１２が検出した接続中端子の数に基づいて、表示部１０に表示する画像の態様を選択するための選択画面を作成する。以下、図５を参照しながら、ＯＳＤ部１６２が作成する選択画面について説明する。
【００３２】
ＯＳＤ部１６２は、検出部１２が検出した接続中端子の数に対応する組み合わせの選択画面を作成する。図５（ｂ）は、検出部１２が入力端子１１ａ〜１１ｄのそれぞれに映像信号が入力されていると検出した場合にＯＳＤ部１６２が作成する選択画面を模式的に示す図である。ＯＳＤ部１６２は、メニューを示す項目５の枠内において、１つの信号線で１つの映像コンテンツを送信していることを示す項目５１の下部に、それぞれの入力端子１１ａ〜１１ｄに対応する項目５１１〜５１４を配置するように選択画面を作成する。また、ＯＳＤ部１６２は、項目５の枠内において、複数の信号線で１つの映像コンテンツを送信していることを示す項目５２の下部に、信号線の組み合わせを示す項目５２１〜５２３を配置するように選択画面を作成する。
【００３３】
ＯＳＤ部１６２は、接続中端子の数以下の映像信号を組み合わせて表示部１０に表示させる画像の態様を示す選択画面を作成してもよい。例えば、ＯＳＤ部１６２は、１つの映像信号が入力されている場合、１つの映像信号を表示部１０に表示させる画像の態様を示す選択画面を作成する。例えば、ＯＳＤ部１６２は、２以上の映像信号が入力されている場合、２以上の映像信号を組み合わせて表示部１０に表示させる画像の態様を示す選択画面を作成する。
【００３４】
図５（ｃ）は、検出部１２が入力端子１１ａと１１ｃとのそれぞれに映像信号が入力されていると検出した場合にＯＳＤ部１６２が作成した選択画面を示す図である。ＯＳＤ部１６２は、項目５の枠内において、１つの信号線で１つの映像コンテンツを送信していることを示す項目５１の下部に、入力端子１１ａと１１ｃとに対応する項目５１１及び５１３を配置するように選択画面を作成する。また、ＯＳＤ部１６２は、項目５の枠内において、複数の信号線で１つの映像コンテンツを送信していることを示す項目５２の下部に、信号線の組み合わせを示す項目５２４を配置するように選択画面を作成する。
【００３５】
ＯＳＤ部１６２は、複数の入力端子の複数の種別のうち、接続中端子の種別を示し、接続中端子以外の種別を示さない選択画面を作成してもよい。接続中端子の種別は、例えば入力端子に入力される映像信号の仕様又は規格である。具体的には、映像信号の仕様又は規格は、ＨＤＭＩ、ＤＶＩ、又はＤＰ等である。
【００３６】
図５（ｄ）は、検出部１２が入力端子１１ａと１１ｂとのそれぞれにＨＤＭＩ形式の映像信号が入力されていると検出した場合にＯＳＤ部１６２が作成した選択画面を模式的に示す図である。ＯＳＤ部１６２は、項目５の枠内において、１つの信号線で１つの映像コンテンツを送信していることを示す項目５１の下部に、入力端子１１ａと１１ｂとに対応する項目５１１及び５１２を配置するように選択画面を作成する。また、ＯＳＤ部１６２は、項目５の枠内において、複数の信号線で１つの映像コンテンツを送信していることを示す項目５２の下部に、信号線の組み合わせを示す項目５２２を配置するように選択画面を作成する。
【００３７】
ＯＳＤ部１６２は、複数の接続中端子に入力されている複数の映像信号の解像度が一致している場合に、接続中端子の数に対応する選択画面を作成してもよい。また、ＯＳＤ部１６２は、複数の接続中端子に入力されている複数の映像信号の周波数（フレームレート周波数又はドットクロック周波数）が一致している場合に、接続中端子の数に対応する選択画面を作成してもよい。図５（ｅ）は、検出部１２が入力端子１１ａ〜１１ｄのそれぞれに映像信号が入力されていると検出した場合にＯＳＤ部１６２が作成した選択画面を模式的に示す図である。なお、入力端子１１ａ及び１１ｂに入力された映像信号の解像度は一致し、入力端子１１ｃ及び１１ｄに入力された映像信号の周波数（フレームレート周波数又はドットクロック周波数）は一致しているものとする。ＯＳＤ部１６２は、項目５の枠内において、複数の信号線で１つの映像コンテンツを送信していることを示す項目５２の下部に、信号線の組み合わせを示す項目５２１及び項目５２３を配置するように選択画面を作成する。
【００３８】
ＯＳＤ部１６２は、複数の接続中端子に入力されている複数の映像信号の解像度が一致していない場合に、接続中端子の数よりも少ない数に対応する選択画面を作成してもよい。また、ＯＳＤ部１６２は、複数の接続中端子に入力されている複数の映像信号の周波数が一致していない場合に、接続中端子の数よりも少ない数に対応する選択画面を作成してもよい。図５（ｆ）は、検出部１２が入力端子１１ａ〜１１ｄのそれぞれに映像信号が入力されていると検出した場合にＯＳＤ部１６２が作成した選択画面を模式的に示す図である。なお、入力端子１１ａ〜１１ｄに入力された映像信号は、解像度及び周波数のいずれも一致していないものとする。ＯＳＤ部１６２は、項目５の枠内において、１つの信号線で１つの映像コンテンツを送信していることを示す項目５１の下部に、それぞれの入力端子１１ａ〜１１ｄに対応する項目５１１〜５１４を配置するように選択画面を作成する。
【００３９】
図５（ｇ）は、検出部１２が入力端子１１ａ〜１１ｄのそれぞれに映像信号が入力されていると検出した場合にＯＳＤ部１６２が作成した選択画面を模式的に示す図である。なお、入力端子１１ａと１１ｂに入力された映像信号は、解像度及び周波数のいずれも一致していないものとし、入力端子１１ｃ及び１１ｄに入力された映像信号の周波数は一致しているものとする。ＯＳＤ部１６２は、項目５の枠内において、１つの信号線で１つの映像コンテンツを送信していることを示す項目５１の下部に、それぞれの入力端子１１ａ及び１１ｂに対応する項目５１１及び５１２を配置するように選択画面を作成する。また、ＯＳＤ部１６２は、項目５の枠内において、複数の信号線で１つの映像コンテンツを送信していることを示す項目５２の下部に、信号線の組み合わせを示す項目５２３を配置するように選択画面を作成する。
【００４０】
なお、選択画面における各項目の選択方式は、一般的なリスト操作による選択・決定方式である。例えば、図５（ｂ）においては、項目５１２がハイライトされている。図５（ｂ）に示すような状態において、ユーザは、表示装置１の操作部１４又はリモコン３を操作することにより、ハイライトする項目を移動することができる。例えば、ユーザが上キー３２ａを押下すれば、ハイライトは項目５１１へ移動する。また、ユーザが下キー３２ｂを押下すると、ハイライトは項目５１３へ移動する。さらに、ユーザが、連続して下キー３２ｂを押下すると、ハイライトは項目５１４、項目５２１、項目５２２、項目５２３と順次移動する。ユーザは、ＯＫボタン３３を押下することにより、ハイライトしている項目を選択指示することができる。
【００４１】
ＯＳＤ部１６２は、接続中端子の数が２以上であることを条件として、複数の前記接続中端子に入力された複数の映像信号に基づく複数の画像を配置した画像の態様を選択するための選択画面を作成してもよい。例えば、ＯＳＤ部１６２は、接続中端子の数が２である場合、表示画面を左領域と右領域とに分割し、それぞれに映像を表示することを示す選択画面を作成する。具体的には、ＯＳＤ部１６２は、図４（ｂ）の上部に示すような選択画面を作成する。ＯＳＤ部１６２は、作成した選択画面を表示制御部１６３に通知する。
【００４２】
表示制御部１６３は、表示部１０に画像を表示させる。例えば、表示制御部１６３は、選択画面を表示部１０に表示させる。具体的には、表示制御部１６３は、画像処理部１６１が処理した画像データに、ＯＳＤ部１６２が生成した画像を重畳した画像を表示部１０に表示させる。このように、ＯＳＤ部１６２が作成した選択画面を表示部１０が表示することにより、ユーザは、複数の入力端子に入力された映像信号の表示態様を選択しやすくなる。
【００４３】
［動作フローチャート］
以下、図６を参照しながら、接続中端子の数に基づいて表示する画像の態様を選択するための選択画面を表示する処理について説明する。図６は、接続中端子の数に基づいて表示する画像の態様を選択するための選択画面を表示する処理のフローチャートである。ステップＳ１において、検出部１２は、対応する入力端子１１に、映像信号を出力する信号源が接続されているか否かを検出する。本実施形態においては、検出部１２は、映像のデータによらず継続的に検知可能なフレームタイミングをあらわすＶＳ信号を監視することにより映像信号が入力されているか否かを検出する。
【００４４】
ステップＳ２において、入力制御部１６０は、接続中端子を特定するための情報（例えば端子番号）を記憶部１５に記憶させる。ステップＳ３において、入力制御部１６０は、全端子の接続状態を確認したか否かを判定する。入力制御部１６０は、全端子の接続状態を確認していない場合、ステップＳ１に戻り、検出部１２に接続を検出するように通知する。入力制御部１６０は、全端子の接続状態を確認すると、ステップＳ４に進む。
【００４５】
ステップＳ４において、入力制御部１６０は、接続中端子が１つか否かを判定する。入力制御部１６０は、接続中端子が１つであると判定すると、１つの信号線で１つの映像コンテンツを示す＜ｓｉｎｇｌｅ＞欄のみの選択画面（例えば図５（ｆ））を作成する指示をＯＳＤ部１６２に通知する。ＯＳＤ部１６２は、＜ｓｉｎｇｌｅ＞欄のみの選択画面を作成し、表示制御部１６３に通知する。ステップＳ５において、表示制御部１６３は、＜ｓｉｎｇｌｅ＞欄のみの選択画面を表示部１０に表示させる。
【００４６】
入力制御部１６０は、接続中端子が２以上であると判定すると、複数の信号線で１つの映像コンテンツを送信していることを示す＜ｍｕｌｔｉ＞欄と、＜ｓｉｎｇｌｅ＞欄とを同時に表示する選択画面（例えば、図５（ｃ））を作成する指示をＯＳＤ部１６２に通知する。ＯＳＤ部１６２は、＜ｓｉｎｇｌｅ＞欄及び＜ｍｕｌｔｉ＞欄の選択画面を作成し、表示制御部１６３に通知する。ステップＳ６において、表示制御部１６３は、＜ｓｉｎｇｌｅ＞欄及び＜ｍｕｌｔｉ＞欄の選択画面を表示部１０に表示させる。このようにすることで、ユーザは、選択できない選択肢を見ることがないので、入力端子に入力された映像信号の表示態様を選択しやすくなる。
【００４７】
ＯＳＤ部１６２は、検出部１２が検出した映像信号の特性に基づいて選択画面を作成してもよい。以下、図７を参照しながら、ＯＳＤ部１６２が映像信号の特性に基づいて選択画面を作成する処理について説明する。図７は、映像信号の特性に基づいて選択画面を作成する処理のフローチャートである。図７のフローチャートは、全端子の接続状態が確認され、接続中端子が２以上であると判定されてから開始する。
【００４８】
ステップＳ１１において、入力制御部１６０は、映像信号の特性が一致する入力端子１１をグループ化する。ステップＳ１２において、入力制御部１６０は、複数の入力端子１１から成るグループがあるか否かを判定する。入力制御部１６０が複数の入力端子１１から成るグループがないと判定すると、ステップＳ１３において、表示制御部１６３は＜ｓｉｎｇｌｅ＞欄のみの選択画面を表示部１０に表示させる。
【００４９】
入力制御部１６０は、複数の入力端子１１から成るグループがあると判定するとステップＳ１４に進む。ステップＳ１４において、入力制御部１６０は、１つの入力端子１１から成るグループがあるか否かを判定する。入力制御部１６０が１つの入力端子１１から成るグループがないと判定すると、ＯＳＤ部１６２は、＜ｍｕｌｔｉ＞欄のみの選択画面を作成し、表示制御部１６３に通知する。ステップＳ１５において、表示制御部１６３は、＜ｍｕｌｔｉ＞欄のみの選択画面を表示部１０に表示させる。
【００５０】
ステップＳ１４において、入力制御部１６０が、１つの入力端子１１から成るグループがあると判定すると、ＯＳＤ部１６２は、＜ｓｉｎｇｌｅ＞欄及び＜ｍｕｌｔｉ＞欄の選択画面を作成し、表示制御部１６３に通知する。ステップＳ１６において、表示制御部１６３は、＜ｓｉｎｇｌｅ＞欄及び＜ｍｕｌｔｉ＞欄の選択画面を表示部１０に表示させる。
【００５１】
このようにすることで、ユーザは、複数の入力端子に入力された映像信号において１つの入力端子１１から成るグループの有無、及び複数の入力端子１１から成るグループの有無に基づいて、表示可能な態様のみを含む選択画面を見ることができる。その結果、表示できない態様が選択画面に含まれないので、ユーザが映像信号の表示態様を選択しやすくなり、間違った表示態様を選択してしまう確率を低減することができる。
【００５２】
［本実施形態に係る表示装置１の効果］
以上説明したように、表示装置１の検出部１２が入力端子１１に信号源が接続されているか否かを検出し、ＯＳＤ部１６２が接続中端子の数に基づいて選択画面を生成する。そして、表示制御部１６３が、選択画面を表示部１０に表示させる。このようにすることで、ユーザは、複数の映像信号を表示させるために不要な選択肢をみることがないので、複数の入力端子に入力された映像信号の表示態様を選択しやすくなる。
【００５３】
［変形例］
以上の説明においては、表示装置１が、自身の表示部１０に選択画面を表示する場合を例示したが、本発明は、表示手段を有しないコンピュータ等の表示制御装置にも適用することができる。この場合、表示制御装置は、表示装置１と同様の構成及び手順により選択画面を生成し、生成した選択画面を外部の表示手段（例えば、プロジェクタ又はディスプレイ）に表示することができる。
【００５４】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５５】
１  表示装置
１０  表示部
１１  入力端子
１２  検出部
１６２  ＯＳＤ部
１６３  表示制御部
【図１】
2019020613.tif 000003
【図２】
2019020613.tif 000004
【図３】
2019020613.tif 000005
【図４】
2019020613.tif 000006
【図５】
2019020613.tif 000007
【図６】
2019020613.tif 000008
【図７】
2019020613.tif 000009